(57)【要約】【課題】磁気漏れおよび電磁波の外部への漏れを抑制しつつ、搭載されるカメラのソケットから容易に取り外すことが可能なレンズ駆動装置を提供する。【解決手段】レンズ駆動装置１は、レンズを保持しレンズの光軸方向へ移動可能な可動体２と、可動体２を光軸方向へ駆動するための駆動機構と、可動体２および駆動機構の外周側を覆うカバー部材１０を有し可動体２を光軸方向へ移動可能に保持する固定体３とを備えている。カバー部材１０は、磁性を有する金属材料で形成されている。また、カバー部材１０の外周側に、光軸方向に略直交する方向へ突出する突出部１９ｆが配置され、突出部１９ｆの反被写体側には、平面部１９ｇが形成されている。【選択図】図１
2011186277.tif 000002
【特許請求の範囲】
【請求項１】
レンズを保持し前記レンズの光軸方向へ移動可能な可動体と、前記可動体を前記光軸方向へ駆動するための駆動機構と、前記可動体および前記駆動機構の外周側を覆うカバー部材を有し前記可動体を前記光軸方向へ移動可能に保持する固定体とを備え、
前記カバー部材は、磁性を有する金属材料で形成され、
前記カバー部材の外周側に、前記光軸方向に略直交する方向へ突出する突出部が配置され、
前記突出部の反被写体側には、平面部が形成されていることを特徴とするレンズ駆動装置。
【請求項２】
前記カバー部材は、前記光軸方向から見たときの形状が略四角形状となるように形成され、
前記突出部は、前記カバー部材の、互いに略平行な２個の第１側面のそれぞれから前記第１側面に略直交する方向へ突出していることを特徴とする請求項１記載のレンズ駆動装置。
【請求項３】
２個の前記第１側面には、前記駆動機構を構成する駆動用磁石を配置するための磁石配置凹部が前記カバー部材の外周側へ突出するように形成され、
前記第１側面に略直交する方向において、前記第１側面に対する前記突出部の突出量は、前記第１側面に対する前記磁石配置凹部の突出量以下であることを特徴とする請求項２記載のレンズ駆動装置。
【請求項４】
前記平面部は、前記光軸方向に略直交するように形成されていること、または、反被写体側に向かうにしたがって前記突出部の突出方向へ広がるように形成されていることを特徴とする請求項１から３のいずれかに記載のレンズ駆動装置。
【請求項５】
前記カバー部材の被写体側を覆うように取り付けられるキャップ部材を備え、
前記突出部は、前記キャップ部材に形成されていることを特徴とする請求項１から４のいずれかに記載のレンズ駆動装置。
【請求項６】
前記キャップ部材の、前記光軸方向における前記突出部の両側に、前記カバー部材に固定される被固定部が形成されていることを特徴とする請求項５記載のレンズ駆動装置。
【請求項７】
前記固定体は、前記カバー部材の内部に配置される樹脂部材を備え、
前記突出部は、前記樹脂部材に形成され、
前記カバー部材には、前記突出部の一部が配置される開口部が形成されていることを特徴とする請求項１から４のいずれかに記載のレンズ駆動装置。
【請求項８】
前記樹脂部材は、反被写体側から前記カバー部材に嵌め込まれるベース部材であり、
前記突出部は、前記カバー部材に嵌め込まれる被嵌込部に形成されていることを特徴とする請求項７記載のレンズ駆動装置。
【請求項９】
前記可動体の被写体側と前記固定体とを繋ぐ板バネを備え、
前記樹脂部材は、前記板バネの一部が固定されるバネ固定部材であり、
前記バネ固定部材は、アウトサート成型によって前記カバー部材と一体で形成されていることを特徴とする請求項７記載のレンズ駆動装置。
【請求項１０】
前記突出部は、前記カバー部材の側面の一部を折り曲げることで形成されていることを特徴とする請求項１から４のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズホルダと、レンズホルダを光軸方向へ駆動する駆動用コイルおよび駆動用磁石とを備えるレンズ駆動装置が知られている（たとえば、特許文献１参照）。特許文献１に記載のレンズ駆動装置では、光軸方向の両側から組み合わされる２個のヨークによって、レンズ駆動装置の側面が構成され、ロアケースによって、レンズ駆動装置の撮像素子側（反被写体側）の端面が構成されている。
【０００３】
また、特許文献１に記載のレンズ駆動装置では、ロアケースは、撮像素子側に配置されるヨークよりも撮像素子側に配置されており、ロアケースの外周面の一部は、被写体側に配置されるヨークで覆われていない。すなわち、ロアケースの外周面は、露出している。また、ロアケースの外周面には、段差が形成されている。なお、ロアケースは、一般的に樹脂で形成されている。また、レンズ駆動装置が搭載されるカメラは、一般的に、レンズ駆動装置を固定するためのソケットを備えており、レンズ駆動装置が搭載されるカメラでは、レンズ駆動装置の撮像素子側がこのソケットに固定されている。
【先行技術文献】
【特許文献】
【０００４】
【特許文献１】特開２００９−１９８９４８号公報
【発明の概要】
【発明が解決しようとする課題】
【０００５】
レンズ駆動装置が搭載されるカメラでは、組み込まれたレンズ駆動装置が不良品であることがわかると、ソケットからレンズ駆動装置を取り外す必要がある。特許文献１に記載のレンズ駆動装置では、露出するロアケースの外周面に段差が形成されているため、この段差を利用して、組み込まれたレンズ駆動装置をソケットから取り外すことが可能である。
【０００６】
しかしながら、このレンズ駆動装置では、ロアケースの外周面の一部がヨークで覆われていないため（すなわち、レンズ駆動装置の撮像素子側がヨークで覆われていないため）、駆動用磁石が発生させる磁気の外部への漏れ（磁気漏れ）が発生して、レンズの駆動力が低下するおそれがある。また、レンズ駆動装置の撮像素子側がヨークで覆われていないため、駆動用コイルが発生させる電磁波がレンズ駆動装置の外部に漏れるおそれがある。
【０００７】
そこで、本発明の課題は、磁気漏れおよび電磁波の外部への漏れを抑制しつつ、搭載されるカメラのソケットから容易に取り外すことが可能なレンズ駆動装置を提供することにある。
【課題を解決するための手段】
【０００８】
上記の課題を解決するため、本発明のレンズ駆動装置は、レンズを保持しレンズの光軸方向へ移動可能な可動体と、可動体を光軸方向へ駆動するための駆動機構と、可動体および駆動機構の外周側を覆うカバー部材を有し可動体を光軸方向へ移動可能に保持する固定体とを備え、カバー部材は、磁性を有する金属材料で形成され、カバー部材の外周側に、光軸方向に略直交する方向へ突出する突出部が配置され、突出部の反被写体側には、平面部が形成されていることを特徴とする。
【０００９】
本発明のレンズ駆動装置では、可動体および駆動機構の外周側を覆うカバー部材の外周側に、光軸方向に略直交する方向へ突出する突出部が配置され、突出部の反被写体側には、平面部が形成されている。そのため、磁性を有する金属材料で形成されるカバー部材によって、レンズ駆動装置の反被写体側の側面を含むレンズ駆動装置の側面の大半部分が覆われていても、平面部を利用して、レンズ駆動装置が搭載されるカメラのソケットからレンズ駆動装置を容易に取り外すことが可能になる。したがって、本発明では、カメラのソケットからレンズ駆動装置を容易に取り外すことが可能であっても、レンズ駆動装置の側面の大半部分をカバー部材で覆うことが可能になる。すなわち、本発明では、レンズ駆動装置の外部への磁気漏れおよび電磁波の漏れを抑制しつつ、搭載されるカメラのソケットからレンズ駆動装置を容易に取り外すことが可能になる。
【００１０】
本発明において、カバー部材は、光軸方向から見たときの形状が略四角形状となるように形成され、突出部は、カバー部材の、互いに略平行な２個の第１側面のそれぞれから第１側面に略直交する方向へ突出していることが好ましい。このように構成すると、ソケットからレンズ駆動装置を取り外す際に、互いに略平行な２個の第１側面のそれぞれから突出する突出部の平面部にバランス良く負荷がかかりやすくなる。したがって、ソケットからレンズ駆動装置をより容易に取り外すことが可能になる。
【００１１】
本発明において、２個の第１側面には、駆動機構を構成する駆動用磁石を配置するための磁石配置凹部がカバー部材の外周側へ突出するように形成され、第１側面に略直交する方向において、第１側面に対する突出部の突出量は、第１側面に対する磁石配置凹部の突出量以下であることが好ましい。このように構成すると、カバー部材の第１側面から突出部が突出している場合であっても、第１側面に略直交する方向において、レンズ駆動装置が大型化するのを抑制することが可能になる。
【００１２】
本発明において、平面部は、光軸方向に略直交するように形成されていること、または、反被写体側に向かうにしたがって突出部の突出方向へ広がるように形成されていることが好ましい。このように構成すると、たとえば、ソケットからレンズ駆動装置を引抜くための治具が平面部に引っ掛かりやすくなる。したがって、平面部を利用してソケットからレンズ駆動装置をより容易に取り外すことが可能になる。
【００１３】
本発明において、レンズ駆動装置は、カバー部材の被写体側を覆うように取り付けられるキャップ部材を備え、突出部は、キャップ部材に形成されていることが好ましい。このように構成すると、カバー部材に開口した部分を形成しなくても、カバー部材の外周側に突出部を配置することが可能になる。したがって、レンズ駆動装置の外部への磁気漏れおよび電磁波の漏れを効果的に抑制することが可能になる。
【００１４】
本発明において、キャップ部材の、光軸方向における突出部の両側に、カバー部材に固定される被固定部が形成されていることが好ましい。このように構成すると、突出部のカバー部材への固定強度を高めることが可能になる。
【００１５】
本発明において、たとえば、固定体は、カバー部材の内部に配置される樹脂部材を備え、突出部は、樹脂部材に形成され、カバー部材には、突出部の一部が配置される開口部が形成されている。この場合には、たとえば、樹脂部材は、反被写体側からカバー部材に嵌め込まれるベース部材であり、突出部は、カバー部材に嵌め込まれる被嵌込部に形成されている。また、この場合には、たとえば、レンズ駆動装置は、可動体の被写体側と固定体とを繋ぐ板バネを備え、樹脂部材は、板バネの一部が固定されるバネ固定部材であり、バネ固定部材は、アウトサート成型によってカバー部材と一体で形成されている。
【００１６】
樹脂部材がベース部材であり、カバー部材に嵌め込まれる被嵌込部に突出部が形成されている場合には、接着剤を使用しなくても、被嵌込部の弾性変形を利用して、ベース部材をカバー部材に仮固定することが可能になる。したがって、仮固定した状態で所定の検査を行い、不良が発見された場合には、カバー部材からベース部材を容易に取り外すことが可能になる。また、樹脂部材がバネ固定部材であり、バネ固定部材が、アウトサート成型によってカバー部材と一体で形成されている場合には、カバー部材の内部にバネ固定部材を精度良く形成することが可能になる。
【００１７】
本発明において、突出部は、カバー部材の側面の一部を折り曲げることで形成されても良い。このように構成すると、突出部が形成される部材を別途、設ける場合と比較して、レンズ駆動装置の構成を簡素化することが可能になる。
【発明の効果】
【００１８】
以上のように、本発明のレンズ駆動装置では、磁気漏れおよび電磁波の外部への漏れを抑制しつつ、搭載されるカメラのソケットから容易に取り外すことが可能になる。
【図面の簡単な説明】
【００１９】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図１に示すレンズ駆動装置の正面図である。
【図５】本発明の他の実施の形態にかかるレンズ駆動装置の斜視図である。
【図６】本発明の他の実施の形態にかかるレンズ駆動装置の斜視図である。
【図７】本発明の他の実施の形態にかかるレンズ駆動装置の斜視図である。
【発明を実施するための形態】
【００２０】
以下、図面を参照しながら、本発明の実施の形態を説明する。
【００２１】
（レンズ駆動装置の構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図１に示すレンズ駆動装置１の正面図である。なお、以下の説明では、図１等に示すように、互いに直交する３方向のそれぞれをＸ方向、Ｙ方向およびＺ方向とする。また、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２２】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２３】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２４】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、可動体２と固定体３とを繋ぐ板バネ５、６を備えている。すなわち、可動体２は、板バネ５、６を介して固定体３に移動可能に保持されている。本形態では、１個の板バネ５が可動体２の上端側に配置され、２個の板バネ６が可動体２の下端側に配置されている（図３参照）。
【００２５】
可動体２は、複数のレンズが固定されたレンズホルダ７を保持するスリーブ８と、駆動機構４を構成する後述の駆動用コイル１４、１５の端部を絡げるための２本の絡げピン９とを備えている。固定体３は、レンズ駆動装置１の側面を構成するカバー部材１０と、レンズ駆動装置１の反被写体側の端面を構成するベース部材１１と、板バネ５の一部が固定されるスペーサ１２と、後述の駆動用コイル１４、１５に電流を供給するための２個の給電用端子１３と、カバー部材１０の上側を覆うように取り付けられるキャップ部材１９とを備えている。なお、図２、図３では、レンズホルダ７の図示を省略している。
【００２６】
レンズホルダ７は、略円筒状に形成されている。このレンズホルダ７の内周側には、複数のレンズが固定されている。
【００２７】
スリーブ８は、樹脂材料で形成されている。また、スリーブ８は、略筒状に形成されている。具体的には、スリーブ８は、上下方向から見たときの内周面の形状が略円形状となり、上下方向から見たときの外周面の形状が略八角形状となる略筒状に形成されている。このスリーブ８は、その内周側でレンズホルダ７を保持している。すなわち、スリーブ８の内周面にレンズホルダ７の外周面が固定されている。
【００２８】
スリーブ８の下端には、ベース部材１１に形成される後述の基準面１１ｄに当接する当接する当接面８ａ（図２参照）が光軸方向と略直交するように形成されている。また、スリーブ８の外周側には、後述の駆動用コイル１４、１５が巻回される巻回凹部８ｂが形成されている。巻回凹部８ｂは、スリーブ８の外周面から窪むように形成されている。また、巻回凹部８ｂは、上下方向に所定の間隔をあけた状態で２箇所に形成されており、２箇所に形成される巻回凹部８ｂの間には、巻回凹部８ｂの底面からスリーブ８の径方向外側に向かって広がる鍔部８ｃが形成されている。
【００２９】
絡げピン９は、導電性を有する金属材料で形成されている。この絡げピン９は、スリーブ８に形成された固定孔に固定されている。また、絡げピン９の下端側がスリーブ８の下端よりも下側に突出するように、絡げピン９はスリーブ８に固定されている。スリーブ８の下端から突出した絡げピン９の下端側には、後述の駆動用コイル１４、１５の端部が巻回されている。
【００３０】
カバー部材１０は、磁性を有する金属材料で形成されている。また、カバー部材１０は、底部１０ａと筒部１０ｂとを有する底付きの略四角筒状に形成されている。上側に配置される底部１０ａの中心には、貫通孔１０ｃが形成されている。筒部１０ｂを構成する左右の側面１０ｄには、駆動機構４を構成する後述の駆動用磁石１７が配置される磁石配置凹部１０ｅが形成されている。本形態の側面１０ｄは、互いに略平行な２個の第１側面である。
【００３１】
磁石配置凹部１０ｅは、前後方向における側面１０ｄの略中心位置に形成されている。また、磁石配置凹部１０ｅは、左右方向の外側に向かって窪むように、かつ、筒部１０ｂの外周側へ膨らむように形成されている。すなわち、磁石配置凹部１０ｅは、筒部１０ｂの外周側へ突出するように（具体的には、側面１０ｂよりも左右方向の外側へ突出するように）形成されている。
【００３２】
カバー部材１０は、可動体２および駆動機構４の外周側を囲むように配置されている。また、カバー部材１０は、カバー部材１０以外の固定体３の各構成の外周側を覆っている。具体的には、図１に示すように、カバー部材１０は、ベース部材１１の下端側の一部を除く、カバー部材１０以外の固定体３の各構成の外周側を覆っている。なお、本形態のカバー部材１０は、ＳＭＩＡ（Ｓｔａｎｄａｒｄ  Ｍｏｂｉｌｅ  Ｉｍａｇｉｎｇ  Ａｒｃｈｉｔｅｃｔｕｒｅ）規格に適合するように形成されている。
【００３３】
ベース部材１１は、絶縁性を有する樹脂材料で形成されている。このベース部材１１は、図３に示すように、略正方形の扁平なブロック状に形成されたベース部１１ａと、ベース部１１ａの四隅のそれぞれから上側に向かって立ち上る立上部１１ｂとを備えている。ベース部１１ａの中心には、貫通孔１１ｃが形成されている。また、ベース部１１ａの上面には、光軸方向における可動体２の基準位置を決めるための基準面１１ｄが光軸方向と略直交するように形成されている（図２参照）。
【００３４】
ベース部材１１は、カバー部材１０の下端側に取り付けられている。具体的には、ベース部材１１は、カバー部材１０の下端側からその内周側に嵌め込まれた状態で接着等によってカバー部材１０に固定されている。
【００３５】
スペーサ１２は、樹脂材料で形成されるとともに、略正方形の扁平なブロック状に形成されている。このスペーサ１２は、カバー部材１０の底部１０ａの下面に固定されている。
【００３６】
給電用端子１３は、平板状の金属材料が折り曲げられて形成されている。この給電用端子１３は、ベース部材１１に固定されている。また、給電用端子１３には、板バネ６の一部が半田付け等されて固定されている。
【００３７】
キャップ部材１９は、平板状の金属材料が折り曲げられて形成されている。このキャップ部材１９は、カバー部材１０の底部１０ａの上面を覆う上面部１９ａと、カバー部材１０の磁石配置凹部１０ｅの両側に配置される４個の側面部１９ｂとを備えている。上面部１９ａは、上下方向から見たときの形状が略正方形状となるように形成されており、その中心には、貫通孔１９ｃが形成されている。側面部１９ｂは、左右方向から見たときの形状が縦長の略長方形状となるように形成されている。また、側面部１９ｂは、カバー部材１０の左右の側面１０ｄに当接するように配置される第１側面部１９ｄおよび第２側面部１９ｅと、第１側面部１９ｄおよび第２側面部１９ｅよりも左右方向の外側に向かって突出する突出部１９ｆとから構成されている。
【００３８】
突出部１９ｆは、上下方向における第１側面部１９ｄと第２側面部１９ｅとの間に形成されている。具体的には、側面部１９ｂの一部が略三角形状に折り曲げられることで、突出部１９ｆが形成されている。突出部１９ｆの下側には、平面部１９ｇが形成されている。本形態では、図４に示すように、突出部１９ｆは、前後方向から見たときの形状が略直角三角形状となるように形成されており、平面部１９ｇは、上下方向に略直交するように形成されている。また、平面部１９ｇは、上下方向におけるレンズ駆動装置１の略中心に配置されている。
【００３９】
キャップ部材１９は、カバー部材１０の底部１０ａに上面部１９ａが当接し、第１側面部１９ｄおよび第２側面部１９ｅがカバー部材１０の左右の側面１０ｄに当接するように、カバー部材１０に固定されている。具体的には、第１側面部１９ｄおよび第２側面部１９ｅが、電気溶接、レーザ溶接あるいは接着等によって、側面１０ｄに固定されている。本形態の第１側面部１９ｄおよび第２側面部１９ｅは、カバー部材１０に固定される被固定部である。
【００４０】
上述のように、突出部１９ｆは、第１側面部１９ｄおよび第２側面部１９ｅよりも左右方向の外側に向かって突出するように形成され、第１側面部１９ｄおよび第２側面部１９ｅは、カバー部材１０の側面１０ｄに固定されている。すなわち、本形態では、カバー部材１０の外周側に、側面１０ｄよりも左右方向の外側に向かって突出する突出部１９ｆが配置されている。本形態では、側面１０ｄに対する突出部１９ｆの突出量は、側面１０ｄに対する磁石配置凹部１０ｅの突出量とほぼ等しくなっている。具体的には、側面１０ｄに対する突出部１９ｆの突出量は、側面１０ｄに対する磁石配置凹部１０ｅの突出量と同じか、側面１０ｄに対する磁石配置凹部１０ｅの突出量よりもわずかに小さくなっている。
【００４１】
板バネ５は、スリーブ８の上端側に固定される円環状の可動体固定部と、スペーサ１２に固定される４個の固定体固定部と、可動体固定部と固定体固定部とを繋ぐ４本の腕部とを備えている。この板バネ５は、その厚さ方向と上下方向とが略一致するように、スリーブ８およびスペーサ１２に固定されている。また、板バネ５は、後述の駆動用コイル１４、１５に電流が供給されていないときに、スリーブ８の当接面８ａとベース部材１１の基準面１１ｄとが当接して可動体２が所定の基準位置に配置されるように、撓んだ状態で、スリーブ８およびスペーサ１２に固定されている。
【００４２】
板バネ６は、スリーブ８の下端側に固定される可動体固定部と、ベース部材１１に固定される２個の固定体固定部と、可動体固定部と固定体固定部とを繋ぐ２本の腕部とを備えている。板バネ６は、その厚さ方向と上下方向とが略一致するように、スリーブ８およびベース部材１１に固定されている。また、板バネ６は、可動体２が基準位置にあるときに板バネ６による付勢力が可動体２に生じないように、スリーブ８およびベース部材１１に固定されている。２個の板バネ６のそれぞれには、２本の絡げピン９のそれぞれが半田付け等されて固定されている。
【００４３】
駆動機構４は、スリーブ８の外周側に巻回される２個の駆動用コイル１４、１５と、レンズ駆動装置１の４つの側面のそれぞれに沿って配置される駆動用磁石１７とを備えている。
【００４４】
２個の駆動用コイル１４、１５は、上下方向に所定の間隔をあけた状態で、スリーブ８の巻回凹部８ｂに巻回されている。本形態では、駆動用コイル１４が上側に配置され、駆動用コイル１５が下側に配置されている。駆動用コイル１４、１５は、上下方向から見たときの形状が略八角形状となるように巻回されている。また、駆動用コイル１４、１５は、たとえば、１本の導線が順次、巻回されることで形成されており、駆動用コイル１４、１５の巻き始め側の端部は、２本の絡げピン９の一方に巻回され、駆動用コイル１４、１５の巻き終わり側の端部は、２本の絡げピン９の他方に巻回されている。
【００４５】
また、駆動用コイル１４、１５は、駆動用コイル１４に供給される電流の方向と駆動用コイル１５に供給される電流の方向とが異なる方向となるように巻回されている。すなわち、たとえば、上側から見たときの駆動用コイル１４に流れる電流の方向が時計回りの方向であれば、上側から見たときの駆動用コイル１５に流れる電流の方向が反時計回りの方向となるように、駆動用コイル１４、１５が巻回されている。
【００４６】
駆動用磁石１７は、略矩形の板状に形成されている。この駆動用磁石１７は、駆動用コイル１４、１５の外側面に対向するようにカバー部材１０の筒部１０ｂの内側面に固定されている。具体的には、左右方向と略平行に配置される駆動用磁石１７は、筒部１０ｂの前後の側面の内側に固定され、前後方向と略平行に配置される駆動用磁石１７は、筒部１０ｂの磁石配置凹部１０ｅに固定されている。なお、図３に示すように、左右方向と略平行に配置される駆動用磁石１７の左右方向の幅は、前後方向と略平行に配置される駆動用磁石１７の前後方向の幅よりも広くなっている。また、本形態のカバー部材１０は、磁気回路を形成するためのヨークの機能を果たしている。
【００４７】
駆動用磁石１７は、上下方向で重なるように配置される略矩形の板状の２個の駆動用磁石片１７ａ、１７ｂによって構成されている。本形態では、駆動用磁石片１７ａが上側に配置され、駆動用磁石片１７ｂが下側に配置されている。駆動用磁石片１７ａ、１７ｂは、駆動用磁石片１７ａの下端面と駆動用磁石片１７ｂの上端面とが当接した状態で互いに固定されている。
【００４８】
駆動用磁石片１７ａ、１７ｂは、駆動用コイル１４、１５との対向面が互いに異なる磁極となるように着磁されている。すなわち、駆動用磁石１７の駆動用コイル１４、１５との対向面は、２極に着磁されている。たとえば、駆動用磁石片１７ａの駆動用コイル１４、１５との対向面がＮ極に着磁され、駆動用磁石片１７ｂの駆動用コイル１４、１５との対向面がＳ極に着磁されている。
【００４９】
以上のように構成されたレンズ駆動装置１の下端には、撮像素子が実装された基板２５が固定される（図４参照）。また、基板２５が固定された状態のレンズ駆動装置１は、カメラに搭載される。具体的には、図４に示すように、カメラの構成部品であるソケット２６に、基板２５が固定された状態のレンズ駆動装置１が取り付けられる。ソケット２６には、たとえば、基板２５を保持するフック部２６ａが形成されている。
【００５０】
レンズ駆動装置１が搭載されたカメラでは、組み込まれたレンズ駆動装置１が不良品であることがわかると、ソケット２６からレンズ駆動装置１を取り外す必要がある。このときには、図４に示すように、突出部１９ｆの平面部１９ｇに所定の治具２７のフック部２７ａを引っ掛けて、ソケット２６からレンズ駆動装置１を取り外す。
【００５１】
（本形態の主な効果）
以上説明したように、本形態では、可動体２および駆動機構４の外周側を覆うカバー部材１０の外周側に、左右方向に突出する突出部１９ｆが配置されている。また、突出部１９ｆの下側に、平面部１９ｇが形成されている。そのため、カバー部材１０によって、レンズ駆動装置１の側面の大半部分が覆われていても、図４に示すように、平面部１９ｇを利用して、レンズ駆動装置１が搭載されるカメラのソケット２６からレンズ駆動装置１を容易に取り外すことが可能になる。したがって、本形態では、ソケット２６からレンズ駆動装置１を容易に取り外すことが可能であっても、レンズ駆動装置１の側面の大半部分をカバー部材１０で覆うことができる。すなわち、本形態では、レンズ駆動装置１の外部への磁気漏れおよび電磁波の漏れを抑制しつつ、ソケット２６からレンズ駆動装置１を容易に取り外すことが可能になる。
【００５２】
本形態では、突出部１９ｆは、カバー部材１０の左右の側面１０ｄから左右方向の外側に向かって突出している。そのため、ソケット２６からレンズ駆動装置１を取り外す際に、略平行な２個の側面１０ｄのそれぞれから突出する突出部１９ｆの平面部１９ｇにバランス良く負荷がかかりやすくなる。特に本形態では、磁石配置凹部１０ｅの両側に突出部１９ｆが配置されているため、ソケット２６からレンズ駆動装置１を取り外す際に、平面部１９ｇによりバランス良く負荷がかかりやすくなる。したがって、本形態では、ソケット２６からレンズ駆動装置１をより容易に取り外すことが可能になる。
【００５３】
本形態では、平面部１９ｇは、上下方向に略直交するように形成されている。そのため、平面部１９ｇが上側に向かうにしたがって左右方向の外側に広がるように形成されている場合と比較して、ソケット２６からレンズ駆動装置１を取り外す際に、治具２７のフック部２７ａが平面部１９ｇから外れにくくなる。したがって、本形態では、平面部１９ｇを利用してソケット２６からレンズ駆動装置１をより容易に取り外すことが可能になる。
【００５４】
本形態では、側面１０ｄに対する突出部１９ｆの突出量は、側面１０ｄに対する磁石配置凹部１０ｅの突出量と同じか、側面１０ｄに対する磁石配置凹部１０ｅの突出量よりもわずかに小さくなっている。そのため、本形態では、カバー部材１０の側面１０ｄに対して突出部１９ｆが突出している場合であっても、左右方向において、レンズ駆動装置１が大型化するのを抑制することができる。
【００５５】
本形態では、カバー部材１０に取り付けられるキャップ部材１９に突出部１９ｆが形成されている。そのため、カバー部材１０に開口した部分を形成しなくても、カバー部材１０の外周側に突出部１９ｆを配置することができる。したがって、本形態では、レンズ駆動装置１の外部への磁気漏れおよび電磁波の漏れを効果的に抑制することが可能になる。
【００５６】
本形態では、上下方向において、突出部１９ｆの両側に配置される第１側面部１９ｄおよび第２側面部１９ｅが側面１０ｄに固定されている。そのため、本形態では、突出部１９ｆのカバー部材１０への固定強度を高めることが可能になる。
【００５７】
（他の実施の形態）
上述した形態は、本発明の好適な形態の一例ではあるが、これに限定されるものではなく本発明の要旨を変更しない範囲において種々変形実施が可能である。
【００５８】
上述した形態では、カバー部材１０に取り付けられるキャップ部材１９に突出部１９ｆが形成されている。この他にもたとえば、図５に示すように、カバー部材１０の側面１０ｄの一部が左右方向の外側に向かって折り曲げられることで、側面１０ｄよりも左右方向の外側に向かって突出する突出部１０ｆが形成されても良い。このように構成すると、キャップ部材１９を設ける必要がなくなるため、レンズ駆動装置１の構成を簡素化することが可能になる。
【００５９】
また、この場合には、突出部１０ｆは、たとえば、側面１０ｄに対して略直角に折り曲げられており、突出部１０ｆの下面が平面部１０ｇとなっている。この平面部１０ｇには、ソケット２６からレンズ駆動装置１を取り外す際に治具２７のフック部２７ａが引っ掛かる。また、突出部１０ｆは、前後方向における磁石配置凹部１０ｅの両側に形成されている。なお、この場合には、図５に示すように、側面１０ｄの一部が上側に向けて折り曲げられることで突出部１０ｆが形成されても良いし、側面１０ｄの一部が下側に向けて折り曲げられることで突出部１０ｆが形成されても良い。また、この場合には、側面１０ｄに形成された開口部は、たとえば、ベース部材１１の立上部１１ｂ等によって塞がれている。
【００６０】
また、カバー部材１０の内部に配置されるベース部材１１またはスペーサ１２に、側面１０ｄよりも左右方向の外側に向かって突出する突出部１１ｆ、１２ｆが形成されても良い（図６、図７参照）。この場合には、カバー部材１０の側面１０ｄに、突出部１１ｆ、１２ｆの一部が配置される開口部が形成されている。
【００６１】
たとえば、ベース部材１１の立上部１１ｂに突出部１１ｆが形成されても良い（図６参照）。この場合には、突出部１１ｆは、たとえば、前後方向から見たときの形状が略直角三角形状となるように形成されており、突出部１１ｆの下側には、光軸方向に略直交する平面部１１ｇが形成されている。この平面部１１ｇには、ソケット２６からレンズ駆動装置１を取り外す際に治具２７のフック部２７ａが引っ掛かる。また、突出部１１ｆは、前後方向における磁石配置凹部１０ｅの両側に形成されている。なお、この場合には、立上部１１ｂは、カバー部材１０に嵌め込まれる被嵌込部である。
【００６２】
また、この場合には、たとえば、左右方向の内側に立上部１１ｂを弾性変形させながら、カバー部材１０にベース部材１１を嵌め込む。また、カバー部材１０にベース部材１１が嵌め込まれると、立上部１１ｂが元の状態に復帰して、突出部１１ｆが側面１０ｄから左右方向の外側に向かって突出する。そのため、接着剤を使用しなくても、立上部１１ｂの弾性変形を利用して、ベース部材１１をカバー部材１０に仮固定することが可能になる。したがって、仮固定した状態で所定の検査を行い、不良が発見された場合には、カバー部材１０からベース部材１１を容易に取り外すことが可能になる。
【００６３】
また、たとえば、スペーサ１２に突出部１２ｆが形成されても良い（図７参照）。この場合には、突出部１２ｆは、たとえば、前後方向から見たときの形状が左右方向に扁平な略長方形状となる略正方形状の板状に形成されており、突出部１２ｆの下側には、光軸方向に略直交する平面部１２ｇが形成されている。この平面部１２ｇには、ソケット２６からレンズ駆動装置１を取り外す際に治具２７のフック部２７ａが引っ掛かる。また、突出部１２ｆは、前後方向における磁石配置凹部１０ｅの両側に形成されている。
【００６４】
また、この場合には、たとえば、スペーサ１２は、アウトサート成型によってカバー部材１０と一体で形成されている。スペーサ１２がアウトサート成型によってカバー部材１０と一体で形成される場合には、カバー部材１０の内部にスペーサ１２を精度良く形成することが可能になる。また、カバー部材１０の底部１０ａの下側に樹脂が充填されるため、治具２７を使ってソケット２６からレンズ駆動装置１を取り外す際に底部１０ａが変形しにくくなる。
【００６５】
なお、ベース部材１１に突出部１１ｆが形成される場合には、ベース部材１１は、カバー部材１０の内部に配置される樹脂部材である。また、スペーサ１２に突出部１２ｆが形成される場合には、スペーサ１２は、カバー部材１０の内部に配置される樹脂部材である。また、この場合には、スペーサ１２は、板バネ５の一部が固定されるバネ固定部材である。
【００６６】
上述した形態では、平面部１９ｇは、上下方向に略直交するように形成されている。この他にもたとえば、平面部１９ｇは、下側に向かうにしたがって左右方向の外側に広がるように形成されても良い。この場合であっても、ソケット２６からレンズ駆動装置１を取り外す際に、治具２７のフック部２７ａが平面部１９ｇから外れにくくなるため、平面部１９ｇを利用してソケット２６からレンズ駆動装置１をより容易に取り外すことが可能になる。なお、平面部１９ｇは、上側に向かうにしたがって左右方向の外側に広がるように形成されても良い。
【００６７】
上述した形態では、第１側面部１９ｄおよび第２側面部１９ｅが側面１０ｄに固定されている。この他にもたとえば、上面部１９ａが底部１０ａに固定されるとともに第１側面部１９ｄが側面１０ｄに固定されても良いし、上面部１９ａが底部１０ａに固定されるとともに第２側面部１９ｅが側面１０ｄに固定されても良い。
【００６８】
上述した形態では、側面１０ｄに対する突出部１９ｆの突出量は、側面１０ｄに対する磁石配置凹部１０ｅの突出量と同じか、側面１０ｄに対する磁石配置凹部１０ｅの突出量よりもわずかに小さくなっている。この他にもたとえば、側面１０ｄに対する突出部１９ｆの突出量は、側面１０ｄに対する磁石配置凹部１０ｅの突出量より大きくても良い。また、上述した形態では、カバー部材１０の側面１０ｄに磁石配置凹部１０ｅが形成されているが、側面１０ｄに磁石配置凹部１０ｅが形成されていなくても良い。
【００６９】
上述した形態では、駆動用磁石１７の駆動用コイル１４、１５との対向面は、２極に着磁されている。この他にもたとえば、駆動用磁石１７の駆動用コイル１４、１５の対向面が１極に着磁されても良い。この場合には、たとえば、スリーブ８に鍔部８ｃが形成されず、また、供給される電流の方向が同じ方向となるように駆動用コイル１４、１５が一体的に巻回される。
【００７０】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略四角形状以外の多角形状となるように形成されても良いし、光軸方向から見たときの形状が略円形状や略楕円形状となるように形成されても良い。
【符号の説明】
【００７１】
１  レンズ駆動装置
２  可動体
３  固定体
４  駆動機構
５  板バネ
１０  カバー部材
１０ｄ  側面（第１側面）
１０ｅ  磁石配置凹部
１０ｆ、１１ｆ、１２ｆ、１９ｆ  突出部
１０ｇ、１１ｇ、１２ｇ、１９ｇ  平面部
１１  ベース部材（樹脂部材）
１１ｂ  立上部（被嵌込部）
１２  スペーサ（バネ固定部材、樹脂部材）
１７  駆動用磁石
１９  キャップ部材
１９ｄ  第１側面部（被固定部）
１９ｅ  第２側面部（被固定部）
Ｌ  光軸
Ｚ  光軸方向
Ｚ１  被写体側
Ｚ２  反被写体側
【図１】
2011186277.tif 000003
【図２】
2011186277.tif 000004
【図３】
2011186277.tif 000005
【図４】
2011186277.tif 000006
【図５】
2011186277.tif 000007
【図６】
2011186277.tif 000008
【図７】
2011186277.tif 000009